(57)【要約】【課題】魚体が見えないようにし、且つ、釣果を管理できるようにすることにより、釣りの楽しさを高めることができると共に、子供や、車椅子の人も釣りを安全に楽しむことができる釣堀を提供する。【解決手段】略長方形の底面５の周辺に所定高さの側壁６，６…が起立連接して構成された水槽２と、水槽２内に所定間隔をもって水槽２の長手方向と直交して張設され、水槽２内を複数の収容部１０，１０…に区画するための仕切り網３，３…と、水槽２の上面を覆うための足場板４とを備え、前記足場板４には、所定間隔で複数の釣用孔１２，１２…が開穿されている釣堀１を提供する。【選択図】図１
2008022795.tif 000002
【特許請求の範囲】
【請求項１】
略長方形の底面の周辺に所定高さの側壁が起立連接して構成された水槽と、前記水槽の長手方向と直交して張設され、前記水槽内を複数の収容部に区画するための仕切り網と、前記水槽の上面を覆うための足場板とを備え、前記足場板には、複数の釣用孔が開穿されていることを特徴とする釣堀。
【請求項２】
略直方体状の水槽用枠体の底面及び側面に水槽用外網が張設された水槽用網体と、前記水槽用網体の長手方向と直交して張設され、前記水槽用網体内を複数の収容部に区画するための仕切り網と、前記水槽用網体の上面を覆うための足場板とを備え、前記足場板には、複数の釣用孔が開穿されると共に、前記収容部に対応する位置に点検口が開穿され、前記点検口には点検蓋が脱着自在にはめ込まれていることを特徴とする釣堀。
【請求項３】
地面における所望箇所に掘り込んだ略直方体状のくぼみとして形成される掘り込み水槽と、前記掘り込み水槽の長手方向と直交して張設され、前記掘り込み水槽内を複数の収容部に区画するための仕切り網と、前記掘り込み水槽の上面を覆うための足場板と、前記掘り込み水槽に給水するための給水口部と、前記掘り込み水槽の排水を行なうための排水口部とを備え、前記足場板には、複数の釣用孔が開穿されると共に、前記収容部に対応する位置に点検口が開穿され、前記点検口には点検蓋が脱着自在にはめ込まれていることを特徴とする釣堀。
【請求項４】
略長方形の底面の周辺に所定高さの側壁が起立連接して構成された水槽体と、前記水槽体の長手方向と直交して張設され、前記水槽体内を複数の収容部に区画するための仕切り網と、前記水槽体の上面を覆うための足場板と、前記水槽体に給水するための給水口部と、前記水槽体の排水を行なうための排水口部とを備え、前記足場板には、複数の釣用孔が開穿されると共に、前記収容部に対応する位置に点検口が開穿され、前記点検口には点検蓋が脱着自在にはめ込まれていることを特徴とする釣堀。
【発明の詳細な説明】
【技術分野】
【０００１】
本発明は、魚体が見えないようにし、且つ、釣果を管理できるようにすることにより、釣りの楽しさを高めることができると共に、子供や、車椅子の人も釣りを安全に楽しむことができる釣堀に関する。
【背景技術】
【０００２】
此種、従来の釣堀は、池又は河川の一部を開放して行なう管理釣りが一般的であるが、水槽を用いた釣堀もあり、室内に水槽を設けた釣堀も存在する。
水槽を用いた釣堀等に於いては、見えない魚を釣る楽しみを得るために、水を不透明（多くは着色剤を使用）にして釣ることも行なわれている。
釣堀に関する先行技術文献として、例えば、下記の特許文献１がある。
特許文献１には、放った魚を釣らせるための釣り池と、釣り池で釣らせた魚を放つ休養池と、休養池で休養させた魚を待機させる待機池とで構成した釣堀が記載されている。
【特許文献１】特開２００２−２７２３１２号公報
【発明の開示】
【発明が解決しようとする課題】
【０００３】
従来の釣堀には次のような問題点があった。
（１）従来の釣堀は、小さな子供や、車椅子を使用する人にとって利用が困難であり、特に、釣りポイントへの竿の移動が困難であった。
（２）従来の釣堀は、安全管理面での問題があり、特に、小さな子供や、車椅子を使用する人にとっては安全性の確保が充分ではなかった。
（３）開放形の池での釣りにあっては、魚体が良く見える場合が多く、その場合、例えば、着色剤を使用して、魚体が見えないようにすることも困難な場合が多く、見えない魚を釣り上げる期待感や楽しみが得られなかった。
【０００４】
以上の現状に鑑み、本発明は、魚体が見えないようにし、且つ、釣果を管理できるようにすることにより、釣りの楽しさを高めることができると共に、子供や、車椅子の人も釣りを安全に楽しむことができる釣堀を提供することを目的にする。
【課題を解決するための手段】
【０００５】
上記の課題を解決すべく、本発明は以下の構成を提供する。
請求項１に係る発明は、略長方形の底面の周辺に所定高さの側壁が起立連接して構成された水槽と、前記水槽の長手方向と直交して張設され、前記水槽内を複数の収容部に区画するための仕切り網と、前記水槽の上面を覆うための足場板とを備え、前記足場板には、複数の釣用孔が開穿されていることを特徴とする釣堀を提供するものである。
【０００６】
請求項２に係る発明は、略直方体状の水槽用枠体の底面及び側面に水槽用外網が張設された水槽用網体と、前記水槽用網体の長手方向と直交して張設され、前記水槽用網体内を複数の収容部に区画するための仕切り網と、前記水槽用網体の上面を覆うための足場板とを備え、前記足場板には、複数の釣用孔が開穿されると共に、前記収容部に対応する位置に点検口が開穿され、前記点検口には点検蓋が脱着自在にはめ込まれていることを特徴とする釣堀を提供するものである。
【０００７】
請求項３に係る発明は、地面における所望箇所に掘り込んだ略直方体状のくぼみとして形成される掘り込み水槽と、前記掘り込み水槽の長手方向と直交して張設され、前記掘り込み水槽内を複数の収容部に区画するための仕切り網と、前記掘り込み水槽の上面を覆うための足場板と、前記掘り込み水槽に給水するための給水口部と、前記掘り込み水槽の排水を行なうための排水口部とを備え、前記足場板には、複数の釣用孔が開穿されると共に、前記収容部に対応する位置に点検口が開穿され、前記点検口には点検蓋が脱着自在にはめ込まれていることを特徴とする釣堀を提供するものである。
【０００８】
請求項４に係る発明は、略長方形の底面の周辺に所定高さの側壁が起立連接して構成された水槽体と、前記水槽体の長手方向と直交して張設され、前記水槽体内を複数の収容部に区画するための仕切り網と、前記水槽体の上面を覆うための足場板と、前記水槽体に給水するための給水口部と、前記水槽体の排水を行なうための排水口部とを備え、前記足場板には、複数の釣用孔が開穿されると共に、前記収容部に対応する位置に点検口が開穿され、前記点検口には点検蓋が脱着自在にはめ込まれていることを特徴とする釣堀を提供するものである。
【発明の効果】
【０００９】
本発明の請求項１記載の発明によれば、魚体が見えないようにし、且つ、釣果を管理できるようにすることにより、釣りの楽しさを高めることができると共に、子供や、車椅子の人も釣りを安全に楽しむことができる釣堀を提供することができる。
特に、複数の収容部に区画するための仕切り網を設けることにより各収容部に、均一に魚を放流でき、釣り上げた後の魚の補充も容易で、釣果を平均化できる。又、釣果に差をつけることも可能である。
更に、前記釣堀は設置場所が限定されない。地面に載置してもよく、足場板を露出させて、地面内に設置することも可能である。
更に又、子供用に小型に形成すれば、小形の魚（金魚、鯉、小ぶな）や、ザリガニ等の釣堀として利用できる。
【００１０】
請求項２記載の発明によれば、請求項１記載の発明と同様に、魚体が見えないようにし、且つ、釣果を管理できるようにすることにより、釣りの楽しさを高めることができると共に、子供や、車椅子の人も釣りを安全に楽しむことができる釣堀を提供することができる。
特に、複数の収容部に区画するための仕切り網を設けることにより各収容部に均一に放流でき、釣り上げた後の魚の補充も容易で、釣果を平均化できる。又、釣果に差をつけることも可能である。
又、釣堀を池の一部に設置することにより、釣り堀と養殖の二通りの管理が可能である。
更に、転落防止柵等を足場板の外周部に設けることができるので、安全面の管理も容易である。
更に又、足場板上面と地面とに高低差がある場合は、足場板上面へのスロープを設けることにより、車椅子や、子供の移動が容易となり、車椅子の釣客や、子供の釣客が自ら選んだ釣用孔への移動して、足場板上で容易に釣りを楽しむことができる。
【００１１】
請求項３記載の発明によれば、請求項１記載の発明と同様に、魚体が見えないようにし、且つ、釣果を管理できるようにすることにより、釣りの楽しさを高めることができると共に、子供や、車椅子の人も釣りを安全に楽しむことができる釣堀を提供することができる。
特に、複数の収容部に区画するための仕切り網を設けることにより各収容部に均一に放流でき、釣り上げた後の魚の補充も容易で、釣果を平均化できる。又、釣果に差をつけることも可能である。
又、足場板が地面と略一致するので、足場板への車椅子での移動や、子供の移動が容易であり、且つ、足場板に乗っても安全である。足場板上面と地面との高低差がある場合は、足場板上面へのスロープを設ければよい。
更に、前記釣堀は、給水源が確保できれば、平地の種々な場所への設置が可能である。
【００１２】
請求項４記載の発明によれば、請求項１記載の発明と同様に、魚体が見えないようにし、且つ、釣果を管理できるようにすることにより、釣りの楽しさを高めることができると共に、子供や、車椅子の人も釣りを安全に楽しむことができる釣堀を提供することができる。
特に、複数の収容部に区画するための仕切り網を設けることにより各収容部に均一に放流でき、釣り上げた後の魚の補充も容易で、釣果を平均化できる。又、釣果に差をつけることも可能である。
又、足場板を地面と略一致させることができるので、足場板への車椅子での移動や、子供の移動が容易であり、且つ、足場板に乗っても安全である。足場板上面が地面と高低差がある場合は、足場板上面へのスロープを設ければよく、又、足場板の外周部に安全柵を設ければ安全性も確保できる。
更に、前記釣堀は、給水源が確保できれば、平地の種々な場所への設置が可能である。
更に又、前記釣堀は、ボーリング等での水の供給も可能である。
【発明を実施するための最良の形態】
【００１３】
以下、実施例を示した図面を参照しつつ本発明の実施の形態を説明する。
図１に於いて、１は、本発明の第１実施態様の釣堀である。釣堀１は、水槽２と仕切り網３と足場板４から構成されている。
水槽２は、長手方向に比較的長く形成された略長方形の底面５の周辺に所定高さの側壁６が起立連接して構成されている。図中、７は側壁６における前面部分に設けられた排出口である。
【００１４】
仕切り網３は、水槽２内に所定間隔をもって水槽２の長手方向と直交して張設され、水槽２の長手方向と直交方向の内周面に対応するよう構成された略矩形状の枠８と、この枠８に張設された網９とから構成されている。網９の網目の寸法は、５ｍｍ程度が好適である。特に、わかさぎなどの小さい魚種の場合、網９の網目を５ｍｍ程度に小さくする必要がある。
図中、１０は、各仕切り網３，３で仕切られた（区画された）魚の収容部である。
足場板４は、水槽２の上面を覆うよう構成された板体１１によって構成され、この板体１１に所定間隔で釣用孔１２，１２…が開穿されている。釣用孔１２の直径は、６０ｍｍ〜８０ｍｍ程度が好適である。この直径寸法は、釣り糸を垂らし易く、且つ、水槽２内の広い範囲がはっきり見えない程度の大きさとして好適な寸法である。
尚、水槽２は、所定長さの公知の鉄筋コンクリートＵ型トラフの前後端面に前後壁を取り付けて構成することも可能である。
【００１５】
各仕切り網３，３で仕切られた（区画された）前記収容部１０，１０…を作ることによって次のような効果が期待できる。
（１）水槽２を仕切ることで各収容部１０内の放流魚数を個別に容易に管理することができる。
（２）釣り上げた魚数を各収容部１０ごとに記録することで魚の補充が容易となる。
（３）各収容部１０ごとの釣果率を放流比率で管理することができる。例えば、釣客の技術が一定と仮定した場合を例に説明すると、水槽をＡ、Ｂ、Ｃの三つに仕切った場合、放流比率をＡ−２０％、Ｂ−５０％、Ｃ−３０％とすると、釣果率は前記放流率に比例することになる。このように、各収容部１０ごとに放流比率を変えることで各収容部１０ごとの釣果率が変わり、釣客の釣果率を管理することができる。更に、各収容部１０ごとの放流率を日々変更したり、放流魚の中にしっかりエサ止めした魚を随意入れることで、より複雑な釣果率を管理することが容易となる。
【００１６】
図２に従って、前記釣堀１の使用方法を説明する。
前記釣堀１は、地面上にそのまま設置される。従って、設置場所が限定されることがなく、足場板４は地面よりも一定の高さ位置になる。或いは、足場板４を露出させて、釣堀１を地中に設置することも可能である。
釣客１３は、釣堀１の側方に立ち、ポイントとなる釣用孔１２を選び、釣用孔１２を覗き込める位置に立ち、選んだ釣用孔１２に釣竿１４の先端に取付けた釣糸１５を垂らす。
前記釣堀１は、子供や、車椅子の人も釣りを安全に楽しむことができる。
子供や、車椅子の人にとって、水槽２の足場板４が高すぎる場合、台等を用意し、釣用孔１２を覗き込める位置に調整する。
【００１７】
図３及び図４に於いて、２１は、本発明の第２実施態様の釣堀である。釣堀２１は、水槽用網体２２と仕切り網２３と足場板２４から構成されている。
水槽用網体２２は、水槽用枠体２５と水槽用外網２６から構成されている。水槽用枠体２５は、長手方向に比較的長く形成された略長方形の下方枠２７と、下方枠２７の四隅上面のほか所望箇所に植設された支柱２８，２８…と、下方枠２７に対応して支柱２８，２８…の上端に設けられた上方枠２９とから（略直方体状に）構成されている。
【００１８】
水槽用外網２６は、水槽用枠体２５の底面、側面に張設される。水槽用外網３１の網目の寸法は、５ｍｍ〜２５ｍｍ程度が好適である。
仕切り網２３は、水槽用網体２２内に所定間隔をもって水槽用網体２２の長手方向と直交して張設されている。
仕切り網２３は、水槽用網体２２の長手方向と直交方向で張設位置における水槽用網体２２の内周面に対応するよう構成された略矩形状の枠３０と、この枠３０に張設された網３１とから構成されている。網３１の網目の寸法は、５ｍｍ〜２５ｍｍ程度が好適である。図中、３２は、各仕切り網２３で仕切られた（区画された）魚の収容部である。
【００１９】
足場板２４は、水槽用網体２２の上面を覆うよう構成された板体３３から成り、この板体３３に所定間隔で釣用孔３４，３４…が開穿されている。釣用孔３４の直径は、１２０ｍｍ〜２００ｍｍ程度が好適である。図中、３５は、水槽用網体２２と足場板２４の間に配設された補強板部である。
補強板部３５は、水槽用網体２２の上方枠２９に対応して形成される略長方形状の枠体とその長手方向の枠体を所定間隔で保持する枠体から成る補強枠３６と、補強枠３６の枠体間に設けられ、補強枠３６の枠体で支持される複数の補強小板３７，３７…から構成されている（図３中には１枚の補強小板３７のみが示されている）。そして、補強小板３７には釣用孔３４に対応する釣用孔３８が開穿されている。
図中、３９は足場板２４の魚の収容部３２，３２…に対応する位置に開穿された点検口で、点検口３９には点検蓋４０が脱着自在に嵌め込まれる。
【００２０】
尚、この点検口３９は、魚の収容部３２の掃除・点検のため作業員が出入りできる寸法に構成されている。点検口３９の具体的な大きさは、長辺が１８００mm程度、短辺が９００mm程度が好適である。
又、補強小板３７にも点検口３９に対応する開口部４１が形成されている。
【００２１】
図５は、本発明の第２実施態様の釣堀２１の点検口３９の要部拡大縦断面図である。点検口３９は魚の収容部３２に対応して仕切り網２３の上方に位置して形成されると共に（即ち、点検口３９から、作業員が仕切り網２３に仕切られた仕切り網２３に隣接する収容部３２，３２の両方に出入りできる構成になっている。）、図４に示す如く、水槽用網体２２の両端部近傍の収容部３２，３２上に夫々形成される。そして、補強小板３７の開口部４１よりも大きく形成され、前記点検口３９内に皿状の点検蓋保持部材４２が嵌め込まれている。点検蓋保持部材４２は、底部に補強小板３７の開口部４１と略同様な大きさの孔４２ａが開穿され、補強小板３７の開口部４１外周辺近傍に載置された状態で、上部に点検蓋４０を脱着自在に嵌め込み、孔４２ａを開閉する構成となっている。
【００２２】
図６に従って、本発明の第２実施態様の釣堀２の使用方法を説明する。
前記釣堀２１は、前記足場板２４が水面上に露出するように池４３内の適宜箇所に設置され、固定される。釣客４４は、足場板２４上に乗って、各自選んだポイント孔となる釣用孔３４に釣糸４５を垂らすことができる。釣客４４の求めに応じ足場板２４上に小型の椅子４６を用意し、座って釣ることもできる。前記足場板２４の周辺部に安全柵を設ければ、子供や車椅子の釣客も釣りを楽しむことができる。
【００２３】
図７及び図８に於いて、６１は、本発明の第３実施態様の釣堀である。釣堀６１は、掘り込み水槽６２と仕切り網６３と足場板６４と給水口部６５と排水口部６６から構成されている。
掘り込み水槽６２は、地面における所望箇所に掘り込んだくぼみとして構成されている。
くぼみの構成は、長手方向に比較的長く形成された略長方形の底面６７の周辺に所定高さの側壁６８が起立連設された状態（略直方体状）に構成されている。
尚、くぼみには必要に応じて土留め、支保工を施すことができる。
仕切り網６３は、掘り込み水槽６２内に所定間隔をもって掘り込み水槽６２の長手方向と直交する状態で張設されている。
【００２４】
仕切り網６３は、掘り込み水槽６２の長手方向と直交方向で張設位置における内周面に対応するよう構成された略矩形状の枠６９とこの枠６９に張設された網７０から構成されている。網７０の網目の寸法は、５ｍｍ〜２５ｍｍ程度が好適である。
図中、７１は、各仕切り網６３，６３…で仕切られた（区画された）魚の収容部である。
足場板６４は、掘り込み水槽６２の上面を覆うよう構成された板体７２から成り、この板体７２に所定間隔で釣用孔７３が開穿されている。釣用孔７３の直径は、１２０ｍｍ〜２００ｍｍ程度が好適である。
【００２５】
図中、７４は、掘り込み水槽６２と足場板６４の間に配設された補強板部である。補強板部７４は、板体７２に対応して形成される略長方形状の枠体とその長手方向の枠体を所定間隔で保持する枠体から成る補強枠７５と、補強枠７５の枠体間に設けられ、補強枠７５の枠体で支持される複数の補強小板７６，７６…から構成されている（図７中には１枚の補強小板７６のみが示されている）。そして、補強小板７６には釣用孔７３に対応する釣用孔７７が開穿されている。
給水口部６５は、掘り込み水槽６２における後面上部に設けられた給水口７８とこの給水口７８に連結された樋７９から構成されている。
この樋７９の後端には掘り込み水槽６２に対して上位に位置する給水池などの給水源８０（図８参照）が連結されている。
【００２６】
排水口部６６は、掘り込み水槽６２における前面上部に設けられた排水口８１と、この排水口８１に連結された樋８２から構成されている。図中、８３は水位調整板である。
８４は足場板６４の魚の収容部７１，７１…に対応する位置に開穿された点検口で、点検口８４には点検蓋８５が脱着自在に嵌め込まれる。
尚、この点検口８４は、魚の収容部７１の掃除・点検のため作業員が出入りできる寸法に構成されている。点検口８４の詳細な構成は前記点検口３９と同様である。
又、補強板７６にも点検口８４に対応する開口部８６が形成されている。
【００２７】
図９に従って、本発明の第３実施態様の釣堀６１の使用方法を説明する。
前記釣堀６１は、給水と排水が確保できるところであれば、どこの地面にも設置することができる。
釣客８７は、足場板６４上に乗って、各自選んだポイント孔となる釣用孔７３に釣糸８８を垂らすことができる。前記釣堀６１に於いては、安全柵等を設けることなく、子供や、車椅子の釣客８７が釣を行なうことができる。尚、足場板７２と地面との高さが異なる場合は、緩やかなスロープを設けて、子供の歩行を容易にすると共に、車椅子の移動を容易にする。場合によっては、安全柵等を設けてもよい。
【００２８】
図１０及び図１１に於いて、１０１は、本発明の第４実施態様の釣堀である。釣堀１０１は、水槽体１０２と仕切り網１０３と足場板１０４と給水口部１０５と排水口部１０６から構成されている。
水槽体１０２は、長手方向に比較的長く形成された長方形の底面１０７の周辺に所定高さの側壁１０８を起立連接して構成されている。
仕切り網１０３は、水槽体１０２内に所定間隔をもって水槽体１０２の長手方向と直交する状態で張設されている。
そこで、仕切り網１０３の構成は、水槽体１０２の長手方向と直交方向で張設位置における内周面に対応するよう構成された略矩形状の枠１０９とこの枠１０９に張設された網１１０とから構成されている。網１１０の網目の寸法は、５ｍｍ〜２５ｍｍ程度が好適である。図中、１１１は、各仕切り網で仕切られた（区画された）魚の収容部である。
【００２９】
足場板１０４は、水槽体１０２の上面を覆うよう構成された板体１１２から成り、板体１１２には所定間隔で釣用孔１１３が開穿されている。
釣用孔１１３の直径は、１２０ｍｍ〜２００ｍｍ程度が好適である。
１１４は、水槽体１０２と足場板１０４の間に配設された補強板部である。
補強板部１１４は、板体１１２に対応して形成される長方形状の枠体とその長手方向の枠体を所定間隔で保持する枠体から成る補強枠１１５と、補強枠１１５の枠体間に設けられ、補強枠１１５の枠体で支持される複数の補強小板１１６，１１６…から構成されている（図１０中には１枚の補強小板１１６のみが示されている）。そして、補強小板１１６には釣用孔１１３に対応する釣用孔１１７が開穿されている。
【００３０】
給水口部１０５は、水槽体１０２における後面上部に設けられた給水口１１８とこの給水口１１８に連結された樋１１９から構成されている。図中、１２０は水位調整板である。
なお、この樋１１９の後端には水槽体１０２に対して上位に位置する給水池などの給水源１２１に連結されている。
排水口部１０６は、水槽体１０２における前面部に設けられた排水口１２２と、この排水口１２２に連結された樋１２３から構成されている。
１２４は足場板１０４の魚の収容部１１１，１１１…に対応する位置に開穿された点検口で、点検口１２４には点検蓋１２５が脱着自在にはめ込まれる。
尚、この点検口１２４は、魚の収容部１１１の掃除・点検のため作業員が出入りできる寸法に構成されている。点検口１２４の詳細な構成は前記点検口３９と同様である。
又、補強小板１１６にも点検口１２４に対応する開口部１２６が形成されている。
【００３１】
図１２に従って、本発明の第４実施態様の釣堀１０１の使用方法を説明する。
前記釣堀１０１は、前記足場板１０４が地表面上に露出するように地面内の適宜箇所に設置される。釣客１２７は、足場板１０４上に乗って、各自選んだポイント孔となる釣用孔１１３に釣糸１２８を垂らすことができる。
前記釣堀１０１に於いても、安全柵等を設けることなく、子供や、車椅子の釣客１２７が釣を行なうことができる。尚、足場板１０４と地面との高さが異なる場合は、緩やかなスロープを設けて、子供の歩行を容易にすると共に、車椅子の移動を容易にする。場合によっては、安全柵等を設けてもよい。
【図面の簡単な説明】
【００３２】
【図１】本発明による第１実施態様の釣堀の分解斜視図である。
【図２】本発明による第１実施態様の釣堀の使用状態を示す側面縦断面である。
【図３】本発明による第２実施態様の釣堀の分解斜視図である。
【図４】本発明による第２実施態様の釣堀の正面縦断面図である。
【図５】本発明による第２実施態様の釣堀の点検口の要部拡大正面縦断面図である。
【図６】本発明による第２実施態様の釣堀の使用状態を示す斜視図である。
【図７】本発明による第３実施態様の釣堀の分解斜視図である。
【図８】本発明による第３実施態様の釣堀の平面図である。
【図９】本発明による第３実施態様の釣堀の使用状態を示す正面縦断面図である。
【図１０】本発明による第４実施態様の釣堀の分解斜視図である。
【図１１】本発明による第４実施態様の釣堀の平面図である。
【図１２】本発明による第４実施態様の釣堀の使用状態を示す正面縦断面図である。
【符号の説明】
【００３３】
１，２１，６１，１０１  釣堀
２  水槽
３，２３，６３，１０３  仕切り網
４，２４，６４，１０４  足場板
５，６７，１０７  底面
６，６８，１０８  側壁
１０，３２，７１，１１１  収容部
１２，３４，７３，１１３  釣用孔
２２  水槽用網体
２５  水槽用枠体
２６  水槽用外網
３９，８４，１２４  点検口
４０，８５，１２５  点検蓋
６２  掘り込み水槽
６５，１０５  給水口部
６６，１０６  排水口部
１０２  水槽体
【図１】
2008022795.tif 000003
【図２】
2008022795.tif 000004
【図３】
2008022795.tif 000005
【図４】
2008022795.tif 000006
【図５】
2008022795.tif 000007
【図６】
2008022795.tif 000008
【図７】
2008022795.tif 000009
【図８】
2008022795.tif 000010
【図９】
2008022795.tif 000011
【図１０】
2008022795.tif 000012
【図１１】
2008022795.tif 000013
【図１２】
2008022795.tif 000014